(57)【要約】【課題】成果保証型広告を活性化できる情報配信システムを提供する。【解決手段】情報配信システム１は、情報配信サーバ２と、被紹介者端末３と、紹介者端末４と、店舗端末５と、デジタルサイネージ１８とを備える。店舗端末５の隣には店舗ビーコン２０が配置されている。被紹介者が飲食店を訪れると、被紹介者端末３の店舗ビーコン識別情報受信部１４が、店舗ビーコン２０から店舗ビーコン識別情報を受信し、情報配信サーバ２の識別情報対比部１１は、被紹介者端末識別情報、紹介者端末識別情報及び店舗ビーコン識別情報と、配信基礎情報データベース８が記録した、被紹介者端末識別情報、紹介者端末識別情報及び店舗ビーコン識別情報とを対比する。両者が一致すると、強制表示特典情報送信部１２が、特典情報を、一致した被紹介者端末識別情報を有する被紹介者端末３へ、被紹介者端末３に強制的に表示させる強制表示特典情報として送信する。【選択図】図１
2019109740.tif 000002
【特許請求の範囲】
【請求項１】
所定の情報を所定の距離まで発信可能な事業所無線通信機器の識別情報である事業所無線通信機器識別情報と関連付けて、同事業所無線通信機器を使用する事業者に関する情報である事業者情報を記録可能な事業者情報記録部と、
ユーザ端末の識別情報であるユーザ端末識別情報と関連付けて、同ユーザ端末のユーザに関する情報であるユーザ情報を記録可能なユーザ情報記録部と、
前記事業者情報記録部が記録した前記事業者情報と、前記ユーザ情報記録部が記録した一のユーザのユーザ端末が有するユーザ端末識別情報と、前記ユーザ情報記録部が記録した他のユーザのユーザ端末が有するユーザ端末識別情報と、前記事業者情報記録部が記録した前記事業者情報に関連付けられた、事業所無線通信機器の事業所無線通信機器識別情報とを互いに関連付けて記録可能な配信基礎情報記録部と、
該配信基礎情報記録部が記録した前記事業者情報を、同配信基礎情報記録部が同事業者情報と関連付けて記録した他のユーザのユーザ端末が有するユーザ端末識別情報と共に、同配信基礎情報記録部が同事業者情報と関連付けて記録した一のユーザのユーザ端末識別情報を有するユーザ端末へ送信可能な事業者情報送信部と、
前記一のユーザのユーザ端末から、同ユーザ端末が有するユーザ端末識別情報と、同ユーザ端末が受信した、前記他のユーザのユーザ端末が有するユーザ端末識別情報及び同他のユーザのユーザ端末が有するユーザ端末識別情報に関連付けられた前記事業所無線通信機器識別情報を受信可能な識別情報受信部と、
該識別情報受信部が受信した、前記一のユーザのユーザ端末が有するユーザ端末識別情報、前記他のユーザのユーザ端末が有するユーザ端末識別情報及び前記事業所無線通信機器識別情報と、前記配信基礎情報記録部が互いに関連付けて記録した、前記一のユーザのユーザ端末が有するユーザ端末識別情報、前記他のユーザのユーザ端末が有するユーザ端末識別情報及び前記事業所無線通信機器識別情報とを対比可能な識別情報対比部と、
該識別情報対比部が対比した結果、両者が一致した場合に、前記事業者が提供する商品サービスに関する特典情報を、一致した前記一のユーザのユーザ端末識別情報を有するユーザ端末へ、同ユーザ端末に強制的に表示させる強制表示特典情報として送信可能な強制表示特典情報送信部とを有する情報配信サーバと、
前記事業者情報を、同事業者情報に関連付けられた前記他のユーザのユーザ端末が有するユーザ端末識別情報と共に受信可能な事業者情報受信部と、
該事業者情報受信部が受信した前記事業者情報に対応する事業所無線通信機器から前記事業所無線通信機器識別情報を受信可能な事業所無線通信機器識別情報受信部と、
該事業所無線通信機器識別情報受信部を有する一のユーザのユーザ端末のユーザ端末識別情報を、前記事業者情報受信部が受信した前記事業者情報に関連付けられた前記他のユーザのユーザ端末が有するユーザ端末識別情報、及び前記事業所無線通信機器識別情報受信部が受信した前記事業所無線通信機器識別情報と共に前記情報配信サーバへ送信可能な識別情報送信部と、
前記強制表示特典情報を受信可能な強制表示特典情報受信部と、
該強制表示特典情報受信部が前記強制表示特典情報を受信したときに同強制表示特典情報を強制的に表示可能な強制表示特典情報表示部とを有する前記一のユーザのユーザ端末とを備える
情報配信システム。
【請求項２】
前記一のユーザのユーザ端末の前記強制表示特典情報受信部が受信した前記強制表示特典情報が複数である場合、前記強制表示特典情報表示部は、前記一のユーザのユーザ端末の振動に基づいて、一の強制表示特典情報から他の強制表示特典情報へ切替えて表示可能である
請求項１に記載の情報配信システム。
【請求項３】
前記一のユーザのユーザ端末は、前記強制表示特典情報受信部が前記強制表示特典情報を受信した場合に、同ユーザ端末のユーザ端末識別情報を、前記識別情報対比部が対比して一致した事業所無線通信機器識別情報と関連付けて前記事業者情報記録部が記録した前記事業者情報に対応する事業者端末へ送信可能なユーザ端末識別情報送信部を有する
請求項１または請求項２に記載の情報配信システム。
【請求項４】
前記情報配信サーバは、前記識別情報対比部が対比した結果、一致した場合に、一致した事業所無線通信機器識別情報を送信したユーザ端末のユーザ端末識別情報を、一致した事業所無線通信機器識別情報と関連付けて前記事業者情報記録部が記録した前記事業者情報に対応する事業者端末へ送信可能なユーザ端末識別情報送信部を有する
請求項１または請求項２に記載の情報配信システム。
【請求項５】
所定の情報を所定の距離まで発信可能な事業所無線通信機器の識別情報である事業所無線通信機器識別情報と関連付けて、同事業所無線通信機器を使用する事業者に関する情報である事業者情報を記録可能な事業者情報記録部と、
ユーザ端末の識別情報であるユーザ端末識別情報と関連付けて、同ユーザ端末のユーザに関する情報であるユーザ情報を記録可能なユーザ情報記録部と、
前記事業者情報記録部が記録した前記事業者情報と、前記ユーザ情報記録部が記録した一のユーザのユーザ端末が有するユーザ端末識別情報と、前記ユーザ情報記録部が記録した他のユーザのユーザ端末が有するユーザ端末識別情報と、前記事業者情報記録部が記録した前記事業者情報に関連付けられた、事業所無線通信機器の事業所無線通信機器識別情報とを互いに関連付けて記録可能であり、かつ、前記ユーザ端末から参照可能な配信基礎情報記録部と、
該配信基礎情報記録部が記録した前記事業者情報を、同配信基礎情報記録部が同事業者情報と関連付けて記録した他のユーザのユーザ端末が有するユーザ端末識別情報と共に、同配信基礎情報記録部が同事業者情報と関連付けて記録した一のユーザのユーザ端末識別情報を有するユーザ端末へ送信可能な事業者情報送信部と、
前記一のユーザのユーザ端末のユーザ端末識別情報、前記事業者情報送信部が送信した前記他のユーザのユーザ端末が有するユーザ端末識別情報及び前記一のユーザのユーザ端末が受信した前記事業所無線通信機器識別情報と、前記配信基礎情報記録部が互いに関連付けて記録した、前記一のユーザのユーザ端末が有するユーザ端末識別情報、前記他のユーザのユーザ端末が有するユーザ端末識別情報及び前記事業所無線通信機器識別情報とが一致したという対比結果を受信可能な対比結果受信部と、
該対比結果受信部が前記対比結果を受信した場合に、前記事業者が提供する商品サービスに関する特典情報を、一致した前記一のユーザのユーザ端末識別情報を有するユーザ端末へ、同ユーザ端末に強制的に表示させる強制表示特典情報として送信可能な強制表示特典情報送信部とを有する情報配信サーバと、
前記事業者情報を、同事業者情報に関連付けられた前記他のユーザのユーザ端末が有するユーザ端末識別情報と共に受信可能な事業者情報受信部と、
該事業者情報受信部が受信した前記事業者情報に対応する事業所無線通信機器から前記事業所無線通信機器識別情報を受信可能な事業所無線通信機器識別情報受信部と、
前記事業者情報受信部を有する前記一のユーザのユーザ端末のユーザ端末識別情報、前記事業者情報受信部が受信した前記他のユーザのユーザ端末が有するユーザ端末識別情報、及び前記事業所無線通信機器識別情報受信部が受信した前記事業所無線通信機器識別情報と、前記情報配信サーバの前記配信基礎情報記録部が互いに関連付けて記録した、前記一のユーザのユーザ端末が有するユーザ端末識別情報、前記他のユーザのユーザ端末が有するユーザ端末識別情報及び前記事業所無線通信機器識別情報とを、通信回線を介して同配信基礎情報記録部を参照して対比可能な識別情報対比部と、
該識別情報対比部が対比した結果、両者が一致した場合に、両者が一致したという対比結果を前記情報配信サーバへ通知可能な対比結果通知部と、
該対比結果通知部が、前記対比結果を通知した場合に、前記強制表示特典情報を受信可能な強制表示特典情報受信部と、
該強制表示特典情報受信部が前記強制表示特典情報を受信したときに同強制表示特典情報を強制的に表示可能な強制表示特典情報表示部とを有する前記一のユーザのユーザ端末とを備える
情報配信システム。
【発明の詳細な説明】
【技術分野】
【０００１】
本発明は情報配信システムに関する。詳しくは、例えばアフィリエイトシステムを支援するための情報配信システムに係るものである。
【背景技術】
【０００２】
アフィリエイターに広告を行わせて、その効果に応じて広告主が報酬を与える成果保証型広告の一種であるアフィリエイトシステムは、費用対効果が高いため普及している。
【０００３】
また、ホテル事業者や鉄道事業者が、デジタルサイネージをホテルのロビーや駅構内に設置して広告収入を得ているが、ホテル事業者や鉄道事業者がアフィリエイターとなることもある。
【０００４】
そして、アフィリエイトシステムの普及に伴い、例えば特許文献１に記載のような広告の効果測定を行う技術が提案されている。
【０００５】
すなわち、特許文献１には、複数のインターネット広告にそれぞれ対応付けられた複数の疑似ネットワーク位置特定情報を生成し、疑似ネットワーク位置特定情報に対応するアクセスがあった場合、ネットワーク位置特定情報宛に、このアクセスを転送するとともに、ログ情報に基づいて、複数のインターネット広告のそれぞれについて個別的に広告効果を測定する発明が記載されている。
【０００６】
このような構成により、広告掲載数に左右されることなく、容易、低コストかつ高精度で定量的な広告効果の測定を行うことができるという効果を奏する。
【先行技術文献】
【特許文献】
【０００７】
【特許文献１】特開２００２−４９５５３号公報
【発明の概要】
【発明が解決しようとする課題】
【０００８】
しかしながら、特許文献１に記載の発明では、例えば飲食店情報を掲載したウェブサイトの場合、どのユーザがどの飲食店の情報を閲覧したかを知ることはできるが、閲覧したユーザが実際にその飲食店を訪れたことの確認ができず、そもそも、積極的にユーザを飲食店へ訪れさせようとする工夫が充分ではなく、成果保証型広告の停滞が懸念されていた。
【０００９】
本発明は、以上の点に鑑みて創案されたものであり、成果保証型広告を活性化できる情報配信システムを提供することを目的とする。
【課題を解決するための手段】
【００１０】
上記の目的を達成するために、本発明の情報配信システムは、所定の情報を所定の距離まで発信可能な事業所無線通信機器の識別情報である事業所無線通信機器識別情報と関連付けて、同事業所無線通信機器を使用する事業者に関する情報である事業者情報を記録可能な事業者情報記録部と、ユーザ端末の識別情報であるユーザ端末識別情報と関連付けて、同ユーザ端末のユーザに関する情報であるユーザ情報を記録可能なユーザ情報記録部と、前記事業者情報記録部が記録した前記事業者情報と、前記ユーザ情報記録部が記録した一のユーザのユーザ端末が有するユーザ端末識別情報と、前記ユーザ情報記録部が記録した他のユーザのユーザ端末が有するユーザ端末識別情報と、前記事業者情報記録部が記録した前記事業者情報に関連付けられた、事業所無線通信機器の事業所無線通信機器識別情報とを互いに関連付けて記録可能な配信基礎情報記録部と、該配信基礎情報記録部が記録した前記事業者情報を、同配信基礎情報記録部が同事業者情報と関連付けて記録した他のユーザのユーザ端末が有するユーザ端末識別情報と共に、同配信基礎情報記録部が同事業者情報と関連付けて記録した一のユーザのユーザ端末識別情報を有するユーザ端末へ送信可能な事業者情報送信部と、前記一のユーザのユーザ端末から、同ユーザ端末が有するユーザ端末識別情報と、同ユーザ端末が受信した、前記他のユーザのユーザ端末が有するユーザ端末識別情報及び同他のユーザのユーザ端末が有するユーザ端末識別情報に関連付けられた前記事業所無線通信機器識別情報を受信可能な識別情報受信部と、該識別情報受信部が受信した、前記一のユーザのユーザ端末が有するユーザ端末識別情報、前記他のユーザのユーザ端末が有するユーザ端末識別情報及び前記事業所無線通信機器識別情報と、前記配信基礎情報記録部が互いに関連付けて記録した、前記一のユーザのユーザ端末が有するユーザ端末識別情報、前記他のユーザのユーザ端末が有するユーザ端末識別情報及び前記事業所無線通信機器識別情報とを対比可能な識別情報対比部と、該識別情報対比部が対比した結果、両者が一致した場合に、前記事業者が提供する商品サービスに関する特典情報を、一致した前記一のユーザのユーザ端末識別情報を有するユーザ端末へ、同ユーザ端末に強制的に表示させる強制表示特典情報として送信可能な強制表示特典情報送信部とを有する情報配信サーバと、前記事業者情報を、同事業者情報に関連付けられた前記他のユーザのユーザ端末が有するユーザ端末識別情報と共に受信可能な事業者情報受信部と、該事業者情報受信部が受信した前記事業者情報に対応する事業所無線通信機器から前記事業所無線通信機器識別情報を受信可能な事業所無線通信機器識別情報受信部と、該事業所無線通信機器識別情報受信部を有する一のユーザのユーザ端末のユーザ端末識別情報を、前記事業者情報受信部が受信した前記事業者情報に関連付けられた前記他のユーザのユーザ端末が有するユーザ端末識別情報、及び前記事業所無線通信機器識別情報受信部が受信した前記事業所無線通信機器識別情報と共に前記情報配信サーバへ送信可能な識別情報送信部と、前記強制表示特典情報を受信可能な強制表示特典情報受信部と、該強制表示特典情報受信部が前記強制表示特典情報を受信したときに同強制表示特典情報を強制的に表示可能な強制表示特典情報表示部と有する前記一のユーザのユーザ端末とを備える。
【００１１】
ここで、所定の情報を所定の距離まで発信可能な事業所無線通信機器の識別情報である事業所無線通信機器識別情報と関連付けて、事業所無線通信機器を使用する事業者に関する情報である事業者情報を記録可能な事業者情報記録部によって、ユーザがユーザ端末を使用して事業者情報を選択したり検索したりすることができる。
【００１２】
また、ユーザ端末の識別情報であるユーザ端末識別情報と関連付けて、ユーザ端末のユーザに関する情報であるユーザ情報を記録可能なユーザ情報記録部によって、ユーザはサーバにユーザ情報を登録するだけで、特典情報を受けたり、他のユーザに特典情報を与えたりすることができる。
【００１３】
さらに、事業者情報記録部が記録した事業者情報と、ユーザ情報記録部が記録した一のユーザのユーザ端末が有するユーザ端末識別情報と、ユーザ情報記録部が記録した他のユーザのユーザ端末が有するユーザ端末識別情報と、事業者情報記録部が記録した事業者情報に関連付けられた、事業所無線通信機器の事業所無線通信機器識別情報とを互いに関連付けて記録可能な配信基礎情報記録部によって、特典情報を与えるユーザと特典情報を受けるユーザとを結び付けることができる。
【００１４】
また、配信基礎情報記録部が記録した事業者情報を、配信基礎情報記録部が事業者情報と関連付けて記録した他のユーザのユーザ端末が有するユーザ端末識別情報と共に、配信基礎情報記録部が事業者情報と関連付けて記録した一のユーザのユーザ端末識別情報を有するユーザ端末へ送信可能な事業者情報送信部と、事業者情報を、事業者情報に関連付けられた他のユーザのユーザ端末が有するユーザ端末識別情報と共に受信可能な事業者情報受信部とによって、一のユーザは事業者情報を入手することができる。
【００１５】
また、一のユーザのユーザ端末から、ユーザ端末が有するユーザ端末識別情報と、ユーザ端末が受信した、他のユーザのユーザ端末が有するユーザ端末識別情報及び他のユーザのユーザ端末が有するユーザ端末識別情報に関連付けられた事業所無線通信機器識別情報を受信可能な識別情報受信部によって、一のユーザが実際に事業者と接触したことを確認することができる。
【００１６】
また、識別情報受信部が受信した、一のユーザのユーザ端末が有するユーザ端末識別情報、他のユーザのユーザ端末が有するユーザ端末識別情報及び事業所無線通信機器識別情報と、配信基礎情報記録部が互いに関連付けて記録した、一のユーザのユーザ端末が有するユーザ端末識別情報、他のユーザのユーザ端末が有するユーザ端末識別情報及び事業所無線通信機器識別情報とを対比可能な識別情報対比部によって、配信基礎情報記録部が記録した、特典情報を与えるユーザと特典情報を受けるユーザとの組み合わせどおりに、ユーザが事業者に接触したか否かを確認することができる。
【００１７】
また、識別情報対比部が対比した結果、両者が一致した場合に、事業者が提供する商品サービスに関する特典情報を、一致した一のユーザのユーザ端末識別情報を有するユーザ端末へ、ユーザ端末に強制的に表示させる強制表示特典情報として送信可能な強制表示特典情報送信部によって、一のユーザは実際に事業者と接触すれば、その事業者に対して利用できる特典情報を入手することができると共に、特典情報が一のユーザのユーザ端末に強制的に表示されるので一のユーザは特典情報に気付き易くなって積極的に事業者と接触するようになる。
【００１８】
また、事業者情報受信部が受信した事業者情報に対応する事業所無線通信機器から事業所無線通信機器識別情報を受信可能な事業所無線通信機器識別情報受信部によって、一のユーザが事業所無線通信機器から所定の距離の範囲内に位置するだけで、一のユーザは事業所無線通信機器識別情報を受信することができるので、事業所無線通信機器識別情報を得るために一のユーザは自ら「かざす」などの行動を起こす必要がない。
【００１９】
また、本発明の情報配信システムにおいて、一のユーザのユーザ端末の強制表示特典情報受信部が受信した強制表示特典情報が複数である場合、強制表示特典情報表示部は、一のユーザのユーザ端末の振動に基づいて、一の強制表示特典情報から他の強制表示特典情報へ切替えて表示可能である構成とすることができる。
【００２０】
この場合、一のユーザはユーザ端末を振るだけで、様々な強制表示特典情報を確認することができる。
【００２１】
また、本発明の情報配信システムにおいて、一のユーザのユーザ端末は、強制表示特典情報受信部が強制表示特典情報を受信した場合に、ユーザ端末のユーザ端末識別情報を、識別情報対比部が対比して一致した事業所無線通信機器識別情報と関連付けて事業者情報記録部が記録した事業者情報に対応する事業者端末へ送信可能なユーザ端末識別情報送信部を有する構成とすることができる。
【００２２】
この場合、事業者は例えば顧客データベースを構築して、実際に事業所を訪れたユーザの情報を記録しておき、顧客管理を行うことができる。
【００２３】
また、本発明の情報配信システムにおいて、情報配信サーバは、識別情報対比部が対比した結果、一致した場合に、一致した事業所無線通信機器識別情報を送信したユーザ端末のユーザ端末識別情報を、一致した事業所無線通信機器識別情報と関連付けて事業者情報記録部が記録した事業者情報に対応する事業者端末へ送信可能なユーザ端末識別情報送信部を有する構成とすることができる。
【００２４】
この場合、事業者は例えば顧客データベースを構築して、実際に事業所を訪れたユーザの情報を記録しておき、顧客管理を行うことができる。
【００２５】
また、上記の目的を達成するために、本発明の情報配信システムは、所定の情報を所定の距離まで発信可能な事業所無線通信機器の識別情報である事業所無線通信機器識別情報と関連付けて、同事業所無線通信機器を使用する事業者に関する情報である事業者情報を記録可能な事業者情報記録部と、ユーザ端末の識別情報であるユーザ端末識別情報と関連付けて、同ユーザ端末のユーザに関する情報であるユーザ情報を記録可能なユーザ情報記録部と、前記事業者情報記録部が記録した前記事業者情報と、前記ユーザ情報記録部が記録した一のユーザのユーザ端末が有するユーザ端末識別情報と、前記ユーザ情報記録部が記録した他のユーザのユーザ端末が有するユーザ端末識別情報と、前記事業者情報記録部が記録した前記事業者情報に関連付けられた、事業所無線通信機器の事業所無線通信機器識別情報とを互いに関連付けて記録可能であり、かつ、前記ユーザ端末から参照可能な配信基礎情報記録部と、該配信基礎情報記録部が記録した前記事業者情報を、同配信基礎情報記録部が同事業者情報と関連付けて記録した他のユーザのユーザ端末が有するユーザ端末識別情報と共に、同配信基礎情報記録部が同事業者情報と関連付けて記録した一のユーザのユーザ端末識別情報を有するユーザ端末へ送信可能な事業者情報送信部と、前記一のユーザのユーザ端末のユーザ端末識別情報、前記事業者情報送信部が送信した前記他のユーザのユーザ端末が有するユーザ端末識別情報及び前記一のユーザのユーザ端末が受信した前記事業所無線通信機器識別情報と、前記配信基礎情報記録部が互いに関連付けて記録した、前記一のユーザのユーザ端末が有するユーザ端末識別情報、前記他のユーザのユーザ端末が有するユーザ端末識別情報及び前記事業所無線通信機器識別情報とが一致したという対比結果を受信可能な対比結果受信部と、該対比結果受信部が前記対比結果を受信した場合に、前記事業者が提供する商品サービスに関する特典情報を、一致した前記一のユーザのユーザ端末識別情報を有するユーザ端末へ、同ユーザ端末に強制的に表示させる強制表示特典情報として送信可能な強制表示特典情報送信部とを有する情報配信サーバと、前記事業者情報を、同事業者情報に関連付けられた前記他のユーザのユーザ端末が有するユーザ端末識別情報と共に受信可能な事業者情報受信部と、該事業者情報受信部が受信した前記事業者情報に対応する事業所無線通信機器から前記事業所無線通信機器識別情報を受信可能な事業所無線通信機器識別情報受信部と、前記事業者情報受信部を有する前記一のユーザのユーザ端末のユーザ端末識別情報、前記事業者情報受信部が受信した前記他のユーザのユーザ端末が有するユーザ端末識別情報、及び前記事業所無線通信機器識別情報受信部が受信した前記事業所無線通信機器識別情報と、前記情報配信サーバの前記配信基礎情報記録部が互いに関連付けて記録した、前記一のユーザのユーザ端末が有するユーザ端末識別情報、前記他のユーザのユーザ端末が有するユーザ端末識別情報及び前記事業所無線通信機器識別情報とを、通信回線を介して同配信基礎情報記録部を参照して対比可能な識別情報対比部と、該識別情報対比部が対比した結果、両者が一致した場合に、両者が一致したという対比結果を前記情報配信サーバへ通知可能な対比結果通知部と、該対比結果通知部が、前記対比結果を通知した場合に、前記強制表示特典情報を受信可能な強制表示特典情報受信部と、該強制表示特典情報受信部が前記強制表示特典情報を受信したときに同強制表示特典情報を強制的に表示可能な強制表示特典情報表示部とを有する前記一のユーザのユーザ端末とを備える。
【００２６】
ここで、所定の情報を所定の距離まで発信可能な事業所無線通信機器の識別情報である事業所無線通信機器識別情報と関連付けて、事業所無線通信機器を使用する事業者に関する情報である事業者情報を記録可能な事業者情報記録部によって、ユーザがユーザ端末を使用して事業者情報を選択したり検索したりすることができる。
【００２７】
また、ユーザ端末の識別情報であるユーザ端末識別情報と関連付けて、ユーザ端末のユーザに関する情報であるユーザ情報を記録可能なユーザ情報記録部によって、ユーザはサーバにユーザ情報を登録するだけで、特典情報を受けたり、他のユーザに特典情報を与えたりすることができる。
【００２８】
また、事業者情報記録部が記録した事業者情報と、ユーザ情報記録部が記録した一のユーザのユーザ端末が有するユーザ端末識別情報と、ユーザ情報記録部が記録した他のユーザのユーザ端末が有するユーザ端末識別情報と、事業者情報記録部が記録した事業者情報に関連付けられた、事業所無線通信機器の事業所無線通信機器識別情報とを互いに関連付けて記録可能であり、かつ、ユーザ端末から参照可能な配信基礎情報記録部によって、特典情報を与えるユーザと特典情報を受けるユーザとを結び付けることができる。
【００２９】
また、配信基礎情報記録部が記録した事業者情報を、配信基礎情報記録部が事業者情報と関連付けて記録した他のユーザのユーザ端末が有するユーザ端末識別情報と共に、配信基礎情報記録部が事業者情報と関連付けて記録した一のユーザのユーザ端末識別情報を有するユーザ端末へ送信可能な事業者情報送信部と、事業者情報を、事業者情報に関連付けられた他のユーザのユーザ端末が有するユーザ端末識別情報と共に受信可能な事業者情報受信部によって、一のユーザは事業者情報を入手することができる。
【００３０】
また、一のユーザ端末が、事業者情報受信部を有する一のユーザのユーザ端末のユーザ端末識別情報、事業者情報受信部が受信した他のユーザのユーザ端末が有するユーザ端末識別情報、及び事業所無線通信機器識別情報受信部が受信した事業所無線通信機器識別情報と、情報配信サーバの配信基礎情報記録部が互いに関連付けて記録した、一のユーザのユーザ端末が有するユーザ端末識別情報、他のユーザのユーザ端末が有するユーザ端末識別情報及び事業所無線通信機器識別情報とを、通信回線を介して配信基礎情報記録部を参照して対比可能な識別情報対比部を有することによって、ユーザ端末識別情報や事業所無線通信機器識別情報などの識別情報を情報配信サーバへ送信することなく、配信基礎情報記録部が記録した識別情報と対比することができる。
また、このような識別情報対比部によって、配信基礎情報記録部が記録した、特典情報を与えるユーザと特典情報を受けるユーザとの組み合わせどおりに、ユーザが事業者に接触したか否かを認識することができる。
【００３１】
また、対比結果受信部が対比結果を受信した場合に、事業者が提供する商品サービスに関する特典情報を、一致した一のユーザのユーザ端末識別情報を有するユーザ端末へ、ユーザ端末に強制的に表示させる強制表示特典情報として送信可能な強制表示特典情報送信部によって、一のユーザは実際に事業者と接触すれば、その事業者に対して利用できる特典情報を入手することができると共に、特典情報が一のユーザのユーザ端末に強制的に表示されるので一のユーザは特典情報に気付き易くなって積極的に事業者と接触するようになる。
【００３２】
また、一のユーザのユーザ端末のユーザ端末識別情報、事業者情報送信部が送信した他のユーザのユーザ端末が有するユーザ端末識別情報及び一のユーザのユーザ端末が受信した事業所無線通信機器識別情報と、配信基礎情報記録部が互いに関連付けて記録した、一のユーザのユーザ端末が有するユーザ端末識別情報、他のユーザのユーザ端末が有するユーザ端末識別情報及び事業所無線通信機器識別情報とが一致したという対比結果を受信可能な対比結果受信部と、対比結果受信部が対比結果を受信した場合に、事業者が提供する商品サービスに関する特典情報を、一致した一のユーザのユーザ端末識別情報を有するユーザ端末へ、ユーザ端末に強制的に表示させる強制表示特典情報として送信可能な強制表示特典情報送信部とによって、情報配信サーバは対比結果をユーザ端末から受信するだけで、強制表示特典情報を送信できる。
【００３３】
また、事業者情報受信部が受信した事業者情報に対応する事業所無線通信機器から事業所無線通信機器識別情報を受信可能な事業所無線通信機器識別情報受信部によって、一のユーザが事業所無線通信機器から所定の距離の範囲内に位置するだけで、一のユーザは事業所無線通信機器識別情報を受信することができるので、事業所無線通信機器識別情報を得るために一のユーザは自ら「かざす」などの行動を起こす必要がない。
【発明の効果】
【００３４】
本発明に係る情報配信システムは、成果保証型広告を活性化できる。
【図面の簡単な説明】
【００３５】
【図１】本発明を適用した情報配信システムの構成の一例を示す概略図である。
【図２】本発明を適用した情報配信システムの構成の他の例を示す概略図である。
【発明を実施するための形態】
【００３６】
以下、本発明の実施の形態について図面を参照しながら説明し、本発明の理解に供する。
図１は、本発明を適用した情報配信システムの構成の一例を示す概略図である。
【００３７】
図１に示す本発明の情報配信システム１は、情報配信サーバ２と、一のユーザである被紹介者が使用する被紹介者端末３と、他のユーザである紹介者が使用する紹介者端末４と、飲食事業者が運営する飲食店の店内に配置された店舗端末５と、ホテル事業者が運営するホテルのロビーに配置されたデジタルサイネージ１８とを備える。
【００３８】
また、デジタルサイネージ１８の例えば上部にはサイネージビーコン１９が配置されている。また、店舗端末５の例えば隣には店舗ビーコン２０が配置されている。
【００３９】
ここで、飲食事業者は事業者の一例であり広告主でもある。また、店舗端末は事業者端末の一例である。
また、被紹介者端末と紹介者端末はユーザ端末の一例である。
【００４０】
また、サイネージビーコンや店舗ビーコンは無線通信機器の一例であり、特に店舗ビーコンは事業所である飲食店に配置されているので事業所無線通信機器の一例である。
また、ホテル事業者は、紹介者となる他のユーザである。
【００４１】
また、サイネージビーコン１９や店舗ビーコン２０はそれぞれ、所定の情報を所定の距離まで発信可能である。
本発明において「所定の距離」とは、例えば２ｃｍ、２ｍ、５ｍ及び１０ｍであるが、本明細書では所定の距離が２ｍである場合を説明する。
本発明において「所定の情報」とは、例えばＵＲＬ情報や、ＵＵＩＤ（Ｕｎｉｖｅｒｓａｌｌｙ  Ｕｎｉｑｕｅ  ＩＤｅｎｔｉｆｉｅｒ）と呼ばれる識別情報や、画像情報である。
【００４２】
図１に示す情報配信サーバ２は、事業者情報データベース６を有する。
ここで、事業者情報データベース６は、店舗ビーコン２０を使用する飲食事業者に関する情報である飲食事業者情報を、店舗ビーコン２０の識別情報である店舗ビーコン識別情報と関連付けて記録可能である。
また、事業者情報データベースは事業者情報記録部の一例である。
【００４３】
また、飲食事業者情報は、具体的には例えば飲食事業者の名称、飲食事業者が運営する飲食店に関する情報、クーポン情報である。
【００４４】
また、事業者情報データベースは他の事業者例えば不動産事業者、映画事業者、自動車事業者に関する、不動産事業者情報、映画事業者情報、自動車事業者情報を記録可能であることは勿論である。
また、ホテル事業者に関するホテル事業者情報も事業者情報データベースに記録可能である。
【００４５】
また、情報配信サーバ２は、ユーザ情報データベース７を有する。
ここで、ユーザ情報データベース７は、被紹介者端末３の識別情報である被紹介者端末識別情報や紹介者端末４の識別情報である紹介者端末識別情報と関連付けて、被紹介者端末３や紹介者端末４それぞれの使用者の情報をユーザ情報として記録可能である。
また、ユーザ情報データベースはユーザ情報記録部の一例である。
【００４６】
ユーザ情報は、具体的には例えば、ユーザの氏名、年齢、職業、属性情報例えば趣味や嗜好が挙げられる。
【００４７】
また、情報配信サーバ２は、配信基礎情報データベース８を有する。
ここで、配信基礎情報データベース８は、事業者情報データベース６が記録した飲食事業者情報と、ユーザ情報データベース７が記録した被紹介者端末識別情報と、ユーザ情報データベース７が記録した紹介者端末識別情報と、事業者情報データベース６が記録した飲食事業者情報に関連付けられた、店舗ビーコン２０の店舗ビーコン識別情報とを互いに関連付けて記録可能である。
【００４８】
また、被紹介者端末識別情報は、一のユーザのユーザ端末が有するユーザ端末識別情報である。
また、紹介者端末識別情報は、他のユーザのユーザ端末が有するユーザ端末識別情報である。
また、配信基礎情報データベースは配信基礎情報記録部の一例である。
【００４９】
また、情報配信サーバ２は、事業者情報送信部９を有する。
ここで、事業者情報送信部９は、配信基礎情報データベース８が記録した飲食事業者情報を、配信基礎情報データベース８が飲食事業者情報と関連付けて記録した紹介者端末識別情報と共に、配信基礎情報データベース８が飲食事業者情報と関連付けて記録した被紹介者端末識別情報を有する被紹介者端末３へ、インターネット２７を介して送信可能である。
【００５０】
また、インターネットは通信回線の一例であり、通信が可能であれば必ずしもインターネットを介さなくてもよい。
また、事業者情報送信部９は、飲食店に関する、クーポン情報や画像情報も一緒に送信可能である。
【００５１】
また、情報配信サーバ２は、識別情報受信部１０を有する。
ここで、識別情報受信部１０は、被紹介者端末３から、被紹介者端末３が有する被紹介者端末識別情報を受信可能である。
また、識別情報受信部１０は、被紹介者端末３が受信した紹介者端末識別情報と、この紹介者端末識別情報に関連付けられた店舗ビーコン識別情報を受信可能である。
【００５２】
また、情報配信サーバ２は、識別情報対比部１１を有する。
ここで、識別情報対比部１１は、識別情報受信部１０が受信した、被紹介者端末識別情報、紹介者端末識別情報及び店舗ビーコン識別情報と、配信基礎情報データベース８が互いに関連付けて記録した、被紹介者端末識別情報、紹介者端末識別情報及び店舗ビーコン識別情報とを対比可能である。
【００５３】
また、情報配信サーバ２は、強制表示特典情報送信部１２を有する。
ここで、強制表示特典情報送信部１２は、識別情報対比部１１が対比した結果、両者が一致した場合に、飲食事業者が提供する商品サービスに関する特典情報を、一致した被紹介者端末識別情報を有する被紹介者端末３へ、被紹介者端末３に強制的に表示させる強制表示特典情報として、インターネット２７を介して送信可能である。
【００５４】
ここで、特典情報は、具体的には例えば、クーポン情報や、一定の数値に達した場合に特定の商品サービスを購入するために使用できる来店ポイントである。
また、事業者情報データベース６が、このような特典情報を記録可能である。
【００５５】
また、被紹介者端末３は、事業者情報受信部１３を有する。
ここで、事業者情報受信部１３は、飲食事業者情報を、この飲食事業者情報に関連付けられた紹介者端末識別情報と共に受信可能である。
【００５６】
また、被紹介者端末３は、店舗ビーコン識別情報受信部１４を有する。
ここで、店舗ビーコン識別情報受信部１４は、事業者情報受信部１３が受信した飲食事業者情報に対応する店舗ビーコン２０から、所定の情報に含まれる店舗ビーコン識別情報を受信可能である。
【００５７】
また、店舗ビーコン識別情報受信部１４は、所定の情報に含まれる、ＵＲＬ情報や画像情報も、店舗ビーコン識別情報と一緒に受信可能である。
ここで、画像情報は事業者に関連する情報とすることができる。
また、店舗ビーコン識別情報受信部は事業所無線通信機器識別情報受信部の一例である。
【００５８】
また、被紹介者端末３は、識別情報送信部１５を有する。
ここで、識別情報送信部１５は、店舗ビーコン識別情報受信部１４を有する被紹介者端末３の被紹介者端末識別情報を、事業者情報受信部１３が受信した飲食事業者情報に関連付けられた紹介者端末識別情報、及び店舗ビーコン識別情報受信部１４が受信した店舗ビーコン識別情報と共に情報配信サーバ２へ送信可能である。
【００５９】
また、被紹介者端末３は、強制表示特典情報を受信可能な強制表示特典情報受信部１６を有する。
【００６０】
また、被紹介者端末３は、強制表示特典情報表示部１７を有する。
ここで、強制表示特典情報表示部１７は、強制表示特典情報受信部１６が強制表示特典情報を受信したときに強制表示特典情報を強制的に表示可能である。
【００６１】
また、被紹介者端末３の強制表示特典情報表示部１７は、強制表示特典情報受信部１６が受信した強制表示特典情報が複数である場合、被紹介者端末３の振動に基づいて、ある一つの強制表示特典情報から他の強制表示特典情報へ切替えて表示可能である。
ここで、被紹介者端末の振動とは具体的には例えば、被紹介者端末３が振られることによって生じる振動である。
【００６２】
また、被紹介者端末３は、被紹介者端末識別情報送信部２２を有する。
ここで、被紹介者端末識別情報送信部２２は、強制表示特典情報受信部１６が強制表示特典情報を受信した場合に、被紹介者端末３の被紹介者端末識別情報を、識別情報対比部１１が対比して一致した店舗ビーコン識別情報と関連付けて事業者情報データベース６が記録した飲食事業者情報に対応する店舗端末５へ送信可能である。
【００６３】
また、被紹介者端末３は、情報表示装置無線通信機器識別情報受信部すなわち、サイネージビーコン識別情報受信部２９を有する。
ここで、サイネージビーコン識別情報受信部２９は、デジタルサイネージ１８の上部に配置されたサイネージビーコン１９から、所定の情報に含まれるサイネージビーコン識別情報を受信可能である。
【００６４】
また、サイネージビーコン識別情報受信部２９は、所定の情報に含まれる、ＵＲＬ情報や画像情報も、サイネージビーコン識別情報と一緒に受信可能である。
【００６５】
また、被紹介者端末３は、端末情報送信部３０を有する。
ここで、端末情報送信部３０は、サイネージビーコン識別情報受信部２９が受信したサイネージビーコン識別情報を、被紹介者端末３が有する被紹介者端末識別情報と共に、インターネット２７を介して情報配信サーバ２へ送信可能である。
【００６６】
一方、情報配信サーバ２も、被紹介者端末識別情報送信部２５を有する。
ここで、被紹介者端末識別情報送信部２５は、識別情報対比部１１が対比した結果、一致した場合に、一致した店舗ビーコン識別情報を送信した被紹介者端末３の被紹介者端末識別情報を、一致した店舗ビーコン識別情報と関連付けて事業者情報データベース６が記録した飲食事業者情報に対応する店舗端末５へ送信可能である。
【００６７】
また、被紹介者端末識別情報は、被紹介者の国籍情報などと関連付けられて被紹介者端末３に記録されており、被紹介者端末識別情報送信部２２は、被紹介者端末識別情報と共に被紹介者の国籍情報を店舗端末５へ送信可能である。
【００６８】
また、被紹介者端末３が受信する、事業者情報や強制表示特典情報などの情報は、被紹介者の国籍情報に対応する公用語、例えばアメリカ合衆国の国籍情報であれば英語で被紹介者端末３に表示されることが可能である。
【００６９】
すなわち、情報配信サーバ２は、様々な言語で作成された事業者情報や強制表示特典情報などの情報を記録しており、被紹介者が被紹介者端末を用いて言語を選択できる。
【００７０】
また、紹介者端末４は、指示情報送信部２１を有する。
ここで、指示情報送信部２１は、情報配信サーバ２へアクセスして、事業者情報データベース６が記録した飲食事業者情報とユーザ情報データベース７が記録した被紹介者のユーザ情報とを組み合わせた指示情報を、インターネット２７を介して情報配信サーバ２へ送信可能である。
【００７１】
また、情報配信サーバ２は、このような指示情報を紹介者の紹介者端末４から受信可能な指示情報受信部２８を有する。
【００７２】
また、指示情報受信部２８が指示情報を紹介者端末４から受信した場合、配信基礎情報データベース８は、指示情報に含まれる、飲食事業者情報すなわち事業者情報及び被紹介者のユーザ情報に対応する被紹介者端末識別情報と、指示情報を送信した紹介者端末４が有する紹介者端末識別情報と、指示情報に含まれる飲食事業者情報に関連付けられた店舗ビーコン識別情報とを互いに関連付けて記録可能である。
【００７３】
また、情報配信サーバ２は、端末情報受信部３１を有する。
ここで、端末情報受信部３１は、被紹介者端末３から、被紹介者端末３が受信したサイネージビーコン識別情報と被紹介者端末３が有する被紹介者端末識別情報を、インターネット２７を介して受信可能である。
【００７４】
また、店舗端末５は、被紹介者端末識別情報受信部２３を有する。
ここで、被紹介者端末識別情報受信部２３は、被紹介者端末３から送信された被紹介者端末識別情報、若しくは情報配信サーバ２から送信された被紹介者端末識別情報を受信可能である。
【００７５】
また、店舗端末５は、顧客情報データベース２４を有する。
ここで、顧客情報データベース２４は、顧客すなわちこの場合は被紹介者に関する情報を記録可能である。
顧客情報データベース２４は、具体的には例えば、被紹介者端末識別情報と、被紹介者に関する情報として店舗での被紹介者の購入情報とを互いに関連付けて記録可能である。
【００７６】
また、店舗端末５は、特典情報受取部２６を有する。
ここで、特典情報受取部２６は、被紹介者端末３の強制表示特典情報受信部１６が受信した特典情報を、被紹介者端末３から近距離通信などで受取可能である。
【００７７】
また、顧客情報データベース２４は、特典情報受取部２６が受取った特典情報例えば来店ポイントも、被紹介者端末識別情報や被紹介者の購入情報と関連付けて記録可能である。
【００７８】
また、店舗端末５は、顧客情報表示部３２を有する。
ここで、顧客情報表示部３２は、被紹介者端末識別情報受信部２３が受信した被紹介者端末識別情報と同じ被紹介者端末識別情報に関連付けて顧客情報データベース２４が記録した被紹介者に関する情報である顧客情報を表示可能である。
【００７９】
すなわち、顧客情報表示部３２は、例えば、顧客である被紹介者の氏名や、被紹介者の購入履歴情報を表示可能である。
従って、顧客情報表示部３２は、例えば、「○○様ご来店ありがとうございます。」、「前回のご来店時に、高級ワインをご購入いただきありがとうございます。」といった文字情報を表示可能である。
ここで、「○○」は被紹介者の苗字あるいは氏名である。なお、被紹介者の氏名は必ずしも表示されなくてもよい。
【００８０】
また、顧客情報表示部３２は、例えば特典情報受取部２６が特典情報を被紹介者端末３から受取ったとき、あるいは被紹介者端末識別情報受信部２３が被紹介者端末識別情報を受信したときに、顧客情報を表示可能である。
【００８１】
また、被紹介者端末識別情報は被紹介者の国籍情報と共に店舗端末５へ送信されるので、店舗端末５の顧客情報表示部３２は、国籍情報に対応する公用語で情報を表示可能である。
【００８２】
次に、図１に示す本発明の情報配信システムの流れの一例を説明する。
【００８３】
事業者情報すなわち広告情報を含む企業情報を得たり、商品サービスを紹介して報酬を得たりしたいユーザは、ユーザ端末を使用して情報配信サーバにアクセスし、専用のアプリケーションプログラムをユーザ端末にインストールすると共に会員登録を行う。
【００８４】
すなわち、ユーザは、商品サービスを紹介する紹介者になったり、紹介を受ける被紹介者になったりできる。
このようなユーザは例えば、一般の個人であったり、企業であったりする。
【００８５】
また、本発明の情報配信システムを利用して商品サービスを宣伝してもらいたい事業者も、端末などを使用して情報配信サーバにアクセスし、会員登録を行う。
説明し易いように、ユーザのうちある一人の個人ユーザが被紹介者であり、他の個人ユーザとホテル事業者が紹介者である例を挙げて説明する。
【００８６】
＜第１の実施態様＞
ホテル事業者が、ホテルのロビーにデジタルサイネージ１８を配置して成果保証型広告を行う実施態様を説明する。
【００８７】
情報配信サーバ２の事業者情報データベース６は、会員登録を行った事業者例えば飲食事業者の飲食事業者情報を、この飲食事業者が運営する飲食店の店内に配置された店舗端末５の隣に配置された店舗ビーコン２０の店舗ビーコン識別情報と関連付けて記録する。
【００８８】
また、情報配信サーバ２のユーザ情報データベース７は、紹介者端末識別情報としてデジタルサイネージ１８の識別情報と、デジタルサイネージ１８の上部に配置されたサイネージビーコン１９から２ｍまで発信されるビーコン発信情報例えばサイネージビーコン識別情報と、ユーザ情報として、会員登録を行ったユーザであるホテル事業者のホテル事業者情報とを互いに関連付けて記録する。
【００８９】
また、情報配信サーバ２のユーザ情報データベース７は、被紹介者端末識別情報と、ユーザ情報として被紹介者端末３の使用者である被紹介者の情報とを互いに関連付けて記録する。
【００９０】
被紹介者が、デジタルサイネージ１８の上部に配置されたサイネージビーコン１９から２ｍの範囲内に入ると、被紹介者が所持する被紹介者端末３のサイネージビーコン識別情報受信部２９が、サイネージビーコン１９からＵＲＬ情報やサイネージビーコン識別情報や画像情報を受信する。
【００９１】
そして、被紹介者は、被紹介者端末３が受信したＵＲＬ情報に基づいて被紹介者端末３から情報配信サーバ２へアクセスする。
すると、情報配信サーバ２の事業者情報送信部９が、このＵＲＬ情報に関連付けられていると共に配信基礎情報データベース８が記録した飲食事業者情報を、配信基礎情報データベース８がこの飲食事業者情報と関連付けて記録した紹介者端末識別情報と共に、配信基礎情報データベース８がこの飲食事業者情報と関連付けて記録した被紹介者端末識別情報を有する被紹介者端末３へ、インターネット２７を介して送信する。
【００９２】
または、被紹介者端末３の端末情報送信部３０が、サイネージビーコン識別情報を、被紹介者端末識別情報と共に情報配信サーバ２へ送信すると、情報配信サーバ２の端末情報受信部３１が受信し、そして情報配信サーバ２の事業者情報送信部９が、このサイネージビーコン識別情報と関連付けられたデジタルサイネージ識別情報と関連付けられていると共に配信基礎情報データベース８が記録した飲食事業者情報を、配信基礎情報データベース８がこの飲食事業者情報と関連付けて記録した紹介者端末識別情報と共に、配信基礎情報データベース８がこの飲食事業者情報と関連付けて記録した被紹介者端末識別情報を有する被紹介者端末３へ、インターネット２７を介して送信する。
【００９３】
次に、被紹介者端末３の事業者情報受信部１３が、飲食事業者情報を、この飲食事業者情報に関連付けられた紹介者端末識別情報と共に受信する。
そして、飲食事業者情報を送ってもらった被紹介者は、飲食事業者情報に含まれる飲食店の情報を見て、実際に飲食店を訪れる。
【００９４】
すると、被紹介者が所持する被紹介者端末３の店舗ビーコン識別情報受信部１４が、飲食店の店内において、店舗端末５の隣に配置された店舗ビーコン２０から、所定の情報に含まれる店舗ビーコン識別情報を受信する。
【００９５】
次に、被紹介者端末３の識別情報送信部１５が、この被紹介者端末３の被紹介者端末識別情報を、事業者情報受信部１３が受信した飲食事業者情報に関連付けられた紹介者端末識別情報、及び店舗ビーコン識別情報受信部１４が受信した店舗ビーコン識別情報と共に情報配信サーバ２へ送信する。
【００９６】
そして、情報配信サーバ２の識別情報受信部１０が、被紹介者端末３から、被紹介者端末３が有する被紹介者端末識別情報と、被紹介者端末３が受信した紹介者端末識別情報と、この紹介者端末識別情報に関連付けられた店舗ビーコン識別情報を受信する。
【００９７】
さらに、情報配信サーバ２の識別情報対比部１１は、識別情報受信部１０が受信した、被紹介者端末識別情報、紹介者端末識別情報及び店舗ビーコン識別情報と、配信基礎情報データベース８が互いに関連付けて記録した、被紹介者端末識別情報、紹介者端末識別情報及び店舗ビーコン識別情報とを対比する。
【００９８】
次に、情報配信サーバ２の強制表示特典情報送信部１２が、識別情報対比部１１が対比した結果、両者が一致した場合に、飲食事業者が提供する商品サービスに関する特典情報を、一致した被紹介者端末識別情報を有する被紹介者端末３へ、被紹介者端末３に強制的に表示させる強制表示特典情報として、インターネット２７を介して送信する。
【００９９】
すると、被紹介者端末３の強制表示特典情報受信部１６が強制表示特典情報を受信し、強制表示特典情報表示部１７が強制表示特典情報を表示する。
【０１００】
このように、強制表示特典情報は、識別情報対比部１１が対比した結果、両者が一致するとすぐに被紹介者端末３へ送信されるので、被紹介者は、飲食店に滞在中に特典情報を入手できると共に特典情報に気付き易い。
従って、特典情報がクーポン情報であれば会計時に利用することができる。
【０１０１】
また、被紹介者端末３の強制表示特典情報受信部１６が強制表示特典情報を受信したので、被紹介者端末３の被紹介者端末識別情報送信部２２が、被紹介者端末３の被紹介者端末識別情報を、店舗端末５へ送信する。
すなわち、この店舗端末５は、識別情報対比部１１が対比して一致した店舗ビーコン識別情報と関連付けて事業者情報データベース６が記録した飲食事業者情報に対応する店舗端末である。
【０１０２】
若しくは、識別情報対比部１１が対比した結果、一致したので、情報配信サーバ２の被紹介者端末識別情報送信部２５が、一致した店舗ビーコン識別情報を送信した被紹介者端末３の被紹介者端末識別情報を、一致した店舗ビーコン識別情報と関連付けて事業者情報データベース６が記録した飲食事業者情報に対応する店舗端末５へ送信することもできる。
【０１０３】
また、店舗端末５の被紹介者端末識別情報受信部２３が、被紹介者端末３から若しくは情報配信サーバ２から被紹介者端末識別情報を受信する。
【０１０４】
また、被紹介者は、強制表示された特典情報を店員などに見せ、店員は、店舗端末５の特典情報受取部２６で、被紹介者端末３が表示した特典情報を被紹介者端末３から近距離通信で受取る。
【０１０５】
また、店舗端末５の顧客情報データベース２４が、被紹介者端末識別情報と、店舗での被紹介者の購入情報である飲食代情報と、特典情報受取部２６が受取った特典情報すなわち来店ポイントとを互いに関連付けて記録する。
【０１０６】
また、店舗端末５の顧客情報表示部３２は、特典情報受取部２６が特典情報を被紹介者端末３から受取ったとき、あるいは被紹介者端末識別情報受信部２３が被紹介者端末識別情報を受信したときに、「○○様ご来店ありがとうございます。」などの文字情報を表示する。
【０１０７】
＜第２の実施態様＞
次に、他の個人ユーザが、成果保証型広告を行う実施態様を説明する。
第２の実施態様においては、事業者情報すなわち広告情報を含む企業情報を得たり、商品サービスを紹介して報酬を得たりしたい一の個人ユーザは、ユーザ端末を使用して他の個人ユーザが運営しているウェブサイトにアクセスし、専用のアプリケーションプログラムをユーザ端末にインストールすると共に会員登録を行う。
従って、第１の実施態様よりも専用のアプリケーションプログラムを拡散させ易い。
【０１０８】
第２の実施態様において、情報配信サーバ２の事業者情報データベース６は、第１の実施態様の事業者情報データベースと同じである。
【０１０９】
また、情報配信サーバ２のユーザ情報データベース７は、被紹介者端末識別情報や紹介者端末識別情報と関連付けて、被紹介者端末３や紹介者端末４それぞれの使用者であるユーザのユーザ情報を記録する。
【０１１０】
また、他のユーザは紹介者端末４を使って情報配信サーバ２へアクセスする。
すなわち、紹介者端末４の指示情報送信部２１は、情報配信サーバ２へアクセスして、事業者情報データベース６が記録した飲食事業者情報のうち紹介対象の飲食事業者情報を選ぶと共に、ユーザ情報データベース７が記録したユーザ情報のうち被紹介者となるユーザ情報を選び、選ばれた飲食事業者情報とユーザ情報とを組み合わせた指示情報を、情報配信サーバ２へ送信する。
【０１１１】
一方、情報配信サーバ２の指示情報受信部２８は、インターネット２７を介して指示情報を受信する。
【０１１２】
そして、配信基礎情報データベース８は、指示情報に含まれる、飲食事業者情報すなわち事業者情報及び被紹介者のユーザ情報に対応する被紹介者端末識別情報と、指示情報を送信した紹介者端末４が有する紹介者端末識別情報と、指示情報に含まれる飲食事業者情報に関連付けられた店舗ビーコン識別情報とを互いに関連付けて記録する。
【０１１３】
次に、情報配信サーバ２の事業者情報送信部９は、配信基礎情報データベース８が記録した飲食事業者情報を、配信基礎情報データベース８が飲食事業者情報と関連付けて記録した、かつ、指示情報を送信した紹介者端末４が有する紹介者端末識別情報と共に、配信基礎情報データベース８が飲食事業者情報と関連付けて記録した、指示情報に含まれる被紹介者のユーザ情報に対応する被紹介者端末識別情報を有する被紹介者端末３へ、インターネット２７を介して送信する。
【０１１４】
この後の流れは、第１の実施態様と同じである。
すなわち、被紹介者が実際に飲食店を訪れて、被紹介者端末３の強制表示特典情報受信部１６が強制表示特典情報を受信し、強制表示特典情報表示部１７が強制表示特典情報を表示することや、店舗端末５の被紹介者端末識別情報受信部２３が、被紹介者端末３から若しくは情報配信サーバ２から被紹介者端末識別情報を受信することなどは同じである。
【０１１５】
図２は、本発明を適用した情報配信システムの構成の他の例を示す概略図である。
【０１１６】
図２に示す本発明の情報配信システム４１は、情報配信サーバ４２と、一のユーザである被紹介者が使用する被紹介者端末４３と、他のユーザである紹介者が使用する紹介者端末４４と、飲食事業者が運営する飲食店の店内に配置された店舗端末４５と、ホテル事業者が運営するホテルのロビーに配置されたデジタルサイネージ５９とを備える。
【０１１７】
また、デジタルサイネージ５９の例えば上部にはサイネージビーコン６０が配置されている。また、店舗端末４５の例えば隣には店舗ビーコン６１が配置されている。
【０１１８】
図２に示す情報配信サーバ４２は、事業者情報データベース４６を有する。
ここで、事業者情報データベース４６は、図１に示す事業者情報データベース６と同じように機能する。
【０１１９】
また、情報配信サーバ４２は、ユーザ情報データベース４７を有する。
ここで、ユーザ情報データベース４７は、図１に示すユーザ情報データベース７と同じように機能する。
【０１２０】
また、情報配信サーバ４２は、配信基礎情報データベース４８を有する。
ここで、配信基礎情報データベース４８は、図１に示す配信基礎情報データベース８と同じように機能する。
また、配信基礎情報データベース４８、被紹介者端末４３や紹介者端末４４から参照可能である。
【０１２１】
また、情報配信サーバ４２は、事業者情報送信部４９を有する。
ここで、事業者情報送信部４９は、図１に示す事業者情報送信部９と同じように機能する。
【０１２２】
また、情報配信サーバ４２は、対比結果受信部５０を有する。
ここで、対比結果受信部５０は、被紹介者端末４３の被紹介者端末識別情報、事業者情報送信部４９が送信した紹介者端末４４の紹介者端末識別情報及び被紹介者端末４３が受信した店舗ビーコン識別情報と、配信基礎情報データベース４８が互いに関連付けて記録した、被紹介者端末識別情報、紹介者端末識別情報及び店舗ビーコン識別情報とが一致したという対比結果を、インターネット６８を介して受信可能である。
【０１２３】
また、情報配信サーバ４２は、強制表示特典情報送信部５２を有する。
ここで、強制表示特典情報送信部５２は、対比結果受信部５０が対比結果を受信した場合に、飲食事業者が提供する商品サービスに関する特典情報を、一致した被紹介者端末識別情報を有する被紹介者端末４３へ、被紹介者端末４３に強制的に表示させる強制表示特典情報として、インターネット６８を介して送信可能である。
【０１２４】
ここで、特典情報は、具体的には例えば、クーポン情報や、一定の数値に達した場合に特定の商品サービスを購入するために使用できる来店ポイントである。
また、事業者情報データベース４６が、このような特典情報を記録可能である。
【０１２５】
また、被紹介者端末４３は、事業者情報受信部５３を有する。
ここで、事業者情報受信部５３は、図１に示す事業者情報受信部１３と同じように機能する。
【０１２６】
また、被紹介者端末４３は、店舗ビーコン識別情報受信部５４を有する。
ここで、店舗ビーコン識別情報受信部５４は、図１に示す店舗ビーコン識別情報受信部１４と同じように機能する。
【０１２７】
また、被紹介者端末４３は、識別情報対比部５５を有する。
ここで、識別情報対比部５５は、被紹介者端末４３の被紹介者端末識別情報、事業者情報受信部５３が受信した紹介者端末４４の紹介者端末識別情報、及び店舗ビーコン識別情報受信部５４が受信した店舗ビーコン識別情報と、情報配信サーバ４２の配信基礎情報データベース４８が互いに関連付けて記録した、被紹介者端末識別情報、紹介者端末識別情報及び店舗ビーコン識別情報とを、インターネット６８を介して情報配信サーバ４２の配信基礎情報データベース４８を参照して対比可能である。
【０１２８】
また、被紹介者端末４３は、対比結果通知部５６を有する。
ここで、対比結果通知部５６は、識別情報対比部５５が対比した結果、両者が一致した場合に、両者が一致したという対比結果を、インターネット６８を介して情報配信サーバ４２へ通知可能である。
【０１２９】
また、被紹介者端末４３は、強制表示特典情報受信部５７を有する。
ここで、強制表示特典情報受信部５７は、対比結果通知部５６が、対比結果を通知した場合に、強制表示特典情報を情報配信サーバ４２から受信可能である。
【０１３０】
また、被紹介者端末４３は、強制表示特典情報表示部５８を有する。
ここで、強制表示特典情報表示部５８は、図１に示す強制表示特典情報表示部１７と同じように機能する。
【０１３１】
また、被紹介者端末４３は、被紹介者端末識別情報送信部６３を有する。
ここで、被紹介者端末識別情報送信部６３は、強制表示特典情報受信部５７が強制表示特典情報を受信した場合に、被紹介者端末４３の被紹介者端末識別情報を、識別情報対比部５５が対比して一致した店舗ビーコン識別情報と関連付けて事業者情報データベース４６が記録した飲食事業者情報に対応する店舗端末４５へ送信可能である。
【０１３２】
また、被紹介者端末４３は、情報表示装置無線通信機器識別情報受信部すなわち、サイネージビーコン識別情報受信部７０を有する。
ここで、サイネージビーコン識別情報受信部７０は、図１に示すサイネージビーコン識別情報受信部２９と同じように機能する。
【０１３３】
また、被紹介者端末４３は、端末情報送信部７１を有する。
ここで、端末情報送信部７１は、図１に示す端末情報送信部３０と同じように機能する。
【０１３４】
一方、情報配信サーバ４２も、被紹介者端末識別情報送信部６６を有する。
ここで、被紹介者端末識別情報送信部６６は、対比結果受信部５０が対比結果を受信した場合に、一致した店舗ビーコン識別情報を送信した被紹介者端末４３の被紹介者端末識別情報を、一致した店舗ビーコン識別情報と関連付けて事業者情報データベース４６が記録した飲食事業者情報に対応する店舗端末４５へ送信可能である。
【０１３５】
また、被紹介者端末識別情報は、被紹介者の国籍情報などと関連付けられて被紹介者端末４３に記録されており、被紹介者端末識別情報送信部６３は、被紹介者端末識別情報と共に被紹介者の国籍情報を店舗端末４５へ送信可能である。
【０１３６】
また、被紹介者端末４３が受信する、事業者情報や強制表示特典情報などの情報は、被紹介者の国籍情報に対応する公用語、例えばドイツ国の国籍情報であればドイツ語で被紹介者端末４３に表示されることが可能である。
【０１３７】
すなわち、情報配信サーバ４２は、様々な言語で作成された事業者情報や強制表示特典情報などの情報を記録しており、被紹介者が被紹介者端末を用いて言語を選択できる。
【０１３８】
また、紹介者端末４４は、指示情報送信部６２を有する。
ここで、指示情報送信部６２は、図１に示す指示情報送信部２１と同じように機能する。
【０１３９】
また、情報配信サーバ４２は、指示情報受信部６９を有する。
ここで、指示情報受信部６９は、図１に示す指示情報受信部２８と同じように機能する。
【０１４０】
また、指示情報受信部６９が指示情報を紹介者端末４４から受信した場合、配信基礎情報データベース４８は、指示情報に含まれる、飲食事業者情報すなわち事業者情報及び被紹介者のユーザ情報に対応する被紹介者端末識別情報と、指示情報を送信した紹介者端末４４が有する紹介者端末識別情報と、指示情報に含まれる飲食事業者情報に関連付けられた店舗ビーコン識別情報とを互いに関連付けて記録可能である。
【０１４１】
また、情報配信サーバ４２は、端末情報受信部７２を有する。
ここで、端末情報受信部７２は、図１に示す端末情報受信部３１と同じように機能する。
【０１４２】
また、店舗端末４５は、被紹介者端末識別情報受信部６４を有する。
ここで、被紹介者端末識別情報受信部６４は、図１に示す被紹介者端末識別情報受信部２３と同じように機能する。
【０１４３】
また、店舗端末４５は、顧客情報データベース６５を有する。
ここで、顧客情報データベース６５は、図１に示す顧客情報データベース２４と同じように機能する。
【０１４４】
また、店舗端末４５は、特典情報受取部６７を有する。
ここで、特典情報受取部６７は、図１に示す特典情報受取部２６と同じように機能する。
【０１４５】
また、店舗端末４５は、顧客情報表示部７３を有する。
ここで、顧客情報表示部７３は、被紹介者端末識別情報受信部６４が受信した被紹介者端末識別情報と同じ被紹介者端末識別情報に関連付けて顧客情報データベース６５が記録した被紹介者に関する情報である顧客情報を表示可能である。
【０１４６】
すなわち、顧客情報表示部７３は、例えば、図１に示す顧客情報表示部３２と同じように機能し、同じような文字情報を表示可能であり、また、図１に示す顧客情報表示部３２と同じような時期に顧客情報を表示可能である。
【０１４７】
また、被紹介者端末識別情報は被紹介者の国籍情報と共に店舗端末４５へ送信されるので、店舗端末４５の顧客情報表示部７３は、国籍情報に対応する公用語で情報を表示可能である。
【０１４８】
次に、図２に示す本発明の情報配信システムの流れの一例を説明する。
【０１４９】
＜第３の実施態様＞
第１の実施態様と同じように、ホテル事業者が、ホテルのロビーにデジタルサイネージ５９を配置して成果保証型広告を行う実施態様を説明する。
【０１５０】
第１の実施態様と同じように、情報配信サーバ４２の事業者情報データベース４６は、飲食事業者の飲食事業者情報を、飲食店の店内に配置された店舗端末４５の隣に配置された店舗ビーコン６１の店舗ビーコン識別情報と関連付けて記録する。
【０１５１】
また、第１の実施態様と同じように、情報配信サーバ４２のユーザ情報データベース４７は、紹介者端末識別情報としてデジタルサイネージ５９の識別情報と、サイネージビーコン６０から２ｍまで発信されるビーコン発信情報例えばサイネージビーコン識別情報と、ユーザ情報として、会員登録を行ったユーザであるホテル事業者のホテル事業者情報とを互いに関連付けて記録する。
【０１５２】
また、第１の実施態様と同じように、情報配信サーバ４２のユーザ情報データベース４７は、被紹介者端末識別情報と、被紹介者の情報とを互いに関連付けて記録する。
【０１５３】
被紹介者が、サイネージビーコン６０から２ｍの範囲内に入ると、被紹介者端末４３のサイネージビーコン識別情報受信部７０が、サイネージビーコン６０からＵＲＬ情報やサイネージビーコン識別情報や画像情報を受信する。
【０１５４】
そして、被紹介者は、被紹介者端末４３が受信したＵＲＬ情報に基づいて被紹介者端末４３から情報配信サーバ４２へアクセスする。
すると、情報配信サーバ４２の事業者情報送信部４９が、このＵＲＬ情報に関連付けられていると共に配信基礎情報データベース４８が記録した飲食事業者情報を、配信基礎情報データベース４８がこの飲食事業者情報と関連付けて記録した紹介者端末識別情報と共に、配信基礎情報データベース４８がこの飲食事業者情報と関連付けて記録した被紹介者端末識別情報を有する被紹介者端末４３へ、インターネット６８を介して送信する。
【０１５５】
または、被紹介者端末４３の端末情報送信部７１が、サイネージビーコン識別情報を、被紹介者端末識別情報と共に情報配信サーバ４２へ送信すると、情報配信サーバ４２の端末情報受信部７２が受信し、情報配信サーバ４２の事業者情報送信部４９が、このサイネージビーコン識別情報と関連付けられたデジタルサイネージ識別情報と関連付けられていると共に配信基礎情報データベース４８が記録した飲食事業者情報を、配信基礎情報データベース４８がこの飲食事業者情報と関連付けて記録した紹介者端末識別情報と共に、配信基礎情報データベース４８がこの飲食事業者情報と関連付けて記録した被紹介者端末識別情報を有する被紹介者端末４３へ、インターネット６８を介して送信する。
【０１５６】
次に、被紹介者端末４３の事業者情報受信部５３が、飲食事業者情報を、この飲食事業者情報に関連付けられた紹介者端末識別情報と共に受信する。
そして、飲食事業者情報を送ってもらった被紹介者は、飲食事業者情報に含まれる飲食店の情報を見て、実際に飲食店を訪れる。
【０１５７】
すると、被紹介者が所持する被紹介者端末４３の店舗ビーコン識別情報受信部５４が、飲食店の店内において、店舗端末４５の隣に配置された店舗ビーコン６１から、所定の情報に含まれる店舗ビーコン識別情報を受信する。
【０１５８】
次に、被紹介者端末４３の識別情報対比部５５が、被紹介者端末４３の被紹介者端末識別情報、事業者情報受信部５３が受信した紹介者端末４４の紹介者端末識別情報、及び店舗ビーコン識別情報受信部５４が受信した店舗ビーコン識別情報と、情報配信サーバ４２の配信基礎情報データベース４８が互いに関連付けて記録した、被紹介者端末識別情報、紹介者端末識別情報及び店舗ビーコン識別情報とを、インターネット６８を介して情報配信サーバ４２の配信基礎情報データベース４８を参照して対比する。
【０１５９】
そして、識別情報対比部５５が対比した結果、両者が一致した場合に、被紹介者端末４３の対比結果通知部５６が、両者が一致したという対比結果を、インターネット６８を介して情報配信サーバ４２へ通知する。
【０１６０】
一方、情報配信サーバ４２の対比結果受信部５０が、両者が一致したという対比結果を受信する。
さらに、情報配信サーバ４２の強制表示特典情報送信部５２が、対比結果受信部５０が対比結果を受信した場合に、飲食事業者が提供する商品サービスに関する特典情報を、一致した被紹介者端末識別情報を有する被紹介者端末４３へ、被紹介者端末４３に強制的に表示させる強制表示特典情報として、インターネット６８を介して送信する。
【０１６１】
すると、被紹介者端末４３の強制表示特典情報受信部５７が、強制表示特典情報を情報配信サーバ４２から受信する。
すなわち、被紹介者端末４３の対比結果通知部５６が対比結果を通知した場合に、被紹介者端末４３の強制表示特典情報受信部５７が、強制表示特典情報を情報配信サーバ４２から受信する。
【０１６２】
そして、被紹介者端末４３の強制表示特典情報表示部５８が、強制表示特典情報を表示する。
【０１６３】
このように、被紹介者端末４３の識別情報対比部５５が対比した結果、両者が一致するとすぐに情報配信サーバ４２へ対比結果が通知され、対比結果を受信した情報配信サーバ４２からすぐに強制表示特典情報が被紹介者端末４３へ送信されるので、被紹介者は、飲食店に滞在中に特典情報を入手できると共に特典情報に気付き易い。
従って、特典情報がクーポン情報であれば会計時に利用することができる。
【０１６４】
また、図２に示す本発明の情報配信システム４１であれば、図１に示す本発明の情報配信システム１とは異なり、情報配信サーバ４２は対比結果を被紹介者端末４３から受信するだけで、被紹介者端末４３へ強制表示特典情報を送信できる。
【０１６５】
また、被紹介者端末４３の強制表示特典情報受信部５７が強制表示特典情報を受信したので、被紹介者端末４３の被紹介者端末識別情報送信部６３が、被紹介者端末４３の被紹介者端末識別情報を、店舗端末４５へ送信する。
すなわち、この店舗端末４５は、識別情報対比部５５が対比して一致した店舗ビーコン識別情報と関連付けて事業者情報データベース４６が記録した飲食事業者情報に対応する店舗端末である。
【０１６６】
若しくは、情報配信サーバ４２の対比結果受信部５０が対比結果を受信したので、情報配信サーバ４２の被紹介者端末識別情報送信部６６が、一致した店舗ビーコン識別情報を送信した被紹介者端末４３の被紹介者端末識別情報を、一致した店舗ビーコン識別情報と関連付けて事業者情報データベース４６が記録した飲食事業者情報に対応する店舗端末４５へ送信することもできる。
【０１６７】
また、店舗端末４５の被紹介者端末識別情報受信部６４が、被紹介者端末４３から若しくは情報配信サーバ４２から被紹介者端末識別情報を受信する。
【０１６８】
また、被紹介者は、強制表示された特典情報を店員などに見せ、店員は、店舗端末４５の特典情報受取部６７で、被紹介者端末４３が表示した特典情報を被紹介者端末４３から近距離通信で受取る。
【０１６９】
また、店舗端末４５の顧客情報データベース６５が、被紹介者端末識別情報と、店舗での被紹介者の購入情報である飲食代情報と、特典情報受取部６７が受取った特典情報すなわち来店ポイントとを互いに関連付けて記録する。
【０１７０】
また、店舗端末４５の顧客情報表示部７３は、特典情報受取部６７が特典情報を被紹介者端末４３から受取ったとき、あるいは被紹介者端末識別情報受信部６４が被紹介者端末識別情報を受信したときに、「前回のご来店時に、高級ワインをご購入いただきありがとうございます。」などの文字情報を表示する。
【０１７１】
＜第４の実施態様＞
次に、他の個人ユーザが、成果保証型広告を行う実施態様を説明する。
第４の実施態様においては、第２の実施態様と同じように、事業者情報すなわち広告情報を含む企業情報を得たり、商品サービスを紹介して報酬を得たりしたい一の個人ユーザは、ユーザ端末を使用して他の個人ユーザが運営しているウェブサイトにアクセスし、専用のアプリケーションプログラムをユーザ端末にインストールすると共に会員登録を行う。
【０１７２】
第４の実施態様において、情報配信サーバ４２の事業者情報データベース４６は、第３の実施態様の事業者情報データベースと同じである。
【０１７３】
また、情報配信サーバ４２のユーザ情報データベース４７は、被紹介者端末識別情報や紹介者端末識別情報と関連付けて、被紹介者端末４３や紹介者端末４４それぞれの使用者であるユーザのユーザ情報を記録する。
【０１７４】
また、他のユーザは紹介者端末４４を使って情報配信サーバ４２へアクセスする。
すなわち、紹介者端末４４の指示情報送信部６２は、情報配信サーバ４２へアクセスして、事業者情報データベース４６が記録した飲食事業者情報のうち紹介対象の飲食事業者情報を選ぶと共に、ユーザ情報データベース４７が記録したユーザ情報のうち被紹介者となるユーザ情報を選び、選ばれた飲食事業者情報とユーザ情報とを組み合わせた指示情報を、情報配信サーバ４２へ送信する。
【０１７５】
一方、情報配信サーバ４２の指示情報受信部６９は、インターネット６８を介して指示情報を受信する。
【０１７６】
そして、配信基礎情報データベース４８は、指示情報に含まれる、飲食事業者情報すなわち事業者情報及び被紹介者のユーザ情報に対応する被紹介者端末識別情報と、指示情報を送信した紹介者端末４４が有する紹介者端末識別情報と、指示情報に含まれる飲食事業者情報に関連付けられた店舗ビーコン識別情報とを互いに関連付けて記録する。
【０１７７】
次に、情報配信サーバ２の事業者情報送信部４９は、配信基礎情報データベース４８が記録した飲食事業者情報を、配信基礎情報データベース４８が飲食事業者情報と関連付けて記録した、かつ、指示情報を送信した紹介者端末４４が有する紹介者端末識別情報と共に、配信基礎情報データベース４８が飲食事業者情報と関連付けて記録した、指示情報に含まれる被紹介者のユーザ情報に対応する被紹介者端末識別情報を有する被紹介者端末４３へ、インターネット６８を介して送信する。
【０１７８】
この後の流れは、第３の実施態様と同じである。
すなわち、被紹介者が実際に飲食店を訪れて、被紹介者端末４３の識別情報対比部５５が対比し、そして被紹介者端末４３の強制表示特典情報受信部５７が強制表示特典情報を受信し、強制表示特典情報表示部５８が強制表示特典情報を表示することや、店舗端末４５の被紹介者端末識別情報受信部６４が、被紹介者端末４３から若しくは情報配信サーバ４２から被紹介者端末識別情報を受信することなどは同じである。
【０１７９】
以上のように、本発明の情報配信システムには、識別情報対比部が存在するので、配信基礎情報記録部が記録した、特典情報を与えるユーザと特典情報を受けるユーザとの組み合わせどおりに、ユーザが事業者に接触したか否かを確認することができる。
【０１８０】
また、本発明の情報配信システムには、強制表示特典情報送信部が存在するので、一のユーザは実際に事業者と接触すれば、その事業者に対して利用できる特典情報を入手することができると共に、特典情報が一のユーザのユーザ端末に強制的に表示されるので一のユーザは特典情報に気付き易くなって積極的に事業者と接触するようになる。
【０１８１】
すなわち、ユーザが事業者と接触する、例えば被紹介者が来店するという成果を確認できる上に、被紹介者端末には特典情報例えばクーポン情報が強制的に表示（ポップアップ表示）されるので、被紹介者はクーポン情報に気付き易くなってクーポン利用率が上がり、クーポン利用に基づく報酬が増えたり、クーポンの利用忘れが減って被紹介者が積極的に来店することで報酬が増えたりするので、本発明の情報配信システムは、成果保証型広告を活性化できる。
【符号の説明】
【０１８２】
１    情報配信システム
２    情報配信サーバ
３    被紹介者端末
４    紹介者端末
５    店舗端末
６    事業者情報データベース
７    ユーザ情報データベース
８    配信基礎情報データベース
９    事業者情報送信部
１０    識別情報受信部
１１    識別情報対比部
１２    強制表示特典情報送信部
１３    事業者情報受信部
１４    店舗ビーコン識別情報受信部
１５    識別情報送信部
１６    強制表示特典情報受信部
１７    強制表示特典情報表示部
１８    デジタルサイネージ
１９    サイネージビーコン
２０    店舗ビーコン
２１    指示情報送信部
２２    被紹介者端末識別情報送信部
２３    被紹介者端末識別情報受信部
２４    顧客情報データベース
２５    被紹介者端末識別情報送信部
２６    特典情報受取部
２７    インターネット
２８    指示情報受信部
２９    サイネージビーコン識別情報受信部
３０    端末情報送信部
３１    端末情報受信部
３２    顧客情報表示部
４１    情報配信システム
４２    情報配信サーバ
４３    被紹介者端末
４４    紹介者端末
４５    店舗端末
４６    事業者情報データベース
４７    ユーザ情報データベース
４８    配信基礎情報データベース
４９    事業者情報送信部
５０    対比結果受信部
５２    強制表示特典情報送信部
５３    事業者情報受信部
５４    店舗ビーコン識別情報受信部
５５    識別情報対比部
５６    対比結果通知部
５７    強制表示特典情報受信部
５８    強制表示特典情報表示部
５９    デジタルサイネージ
６０    サイネージビーコン
６１    店舗ビーコン
６２    指示情報送信部
６３    被紹介者端末識別情報送信部
６４    被紹介者端末識別情報受信部
６５    顧客情報データベース
６６    被紹介者端末識別情報送信部
６７    特典情報受取部
６８    インターネット
６９    指示情報受信部
７０    サイネージビーコン識別情報受信部
７１    端末情報送信部
７２    端末情報受信部
７３    顧客情報表示部
【図１】
2019109740.tif 000003
【図２】
2019109740.tif 000004